(57)【特許請求の範囲】
【請求項１】
内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記ロックアームは、前記第２コネクタハウジングの上面における幅方向中央部に設けられ、
前記リブは、前記ロックアームに一体形成されていることを特徴とするコネクタ。
【請求項２】
内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記リブは、前記ロックアームの前端面に、コネクタハウジング相互の嵌合方向に沿って突出する形状に装備されたことを特徴とするコネクタ。
【請求項３】
内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記リブには、前記第２コネクタハウジングの幅方向に突出して、前記幅方向と直交する前記ロック確認孔の内壁面に摺動可能に当接するガタ止め突起を備えたことを特徴とするコネクタ。
【請求項４】
前記ガタ止め突起は、コネクタハウジング相互の嵌合方向に沿って延設されていることを特徴とする請求項３に記載のコネクタ。
【発明の詳細な説明】
【技術分野】
【０００１】
本発明は、コネクタハウジング相互の嵌合状態をロックするロック部が目視できない位置に存在するコネクタに関する。
【背景技術】
【０００２】
図１３は、下記特許文献１に開示されたコネクタを示している。
このコネクタ１００は、内部側にアーム係止部１１１を有した第１コネクタハウジング１１０と、第１コネクタハウジング１１０の嵌合相手となる第２コネクタハウジング１２０と、を備えている。
【０００３】
第１コネクタハウジング１１０のアーム係止部１１１は、隆起部１１２の後段に凹んだ形状に形成された段差面である。
【０００４】
第２コネクタハウジング１２０は、第１コネクタハウジング１１０との嵌合が完了したときにアーム係止部１１１と係合してコネクタハウジング相互の嵌合状態をロックするロックアーム１２１を備えている。
【０００５】
ロックアーム１２１は、コネクタハウジング相互の嵌合方向（図１３では、矢印Ｘ１方向）に沿ってハウジング前端側（図１３では、左端側）に延出したアーム本体１２１ａと、アーム本体１２１ａの先端からコネクタハウジング相互の嵌合方向と直交する方向に突出した係合突起１２１ｂと、を備えている。
【０００６】
このロックアーム１２１は、コネクタハウジング相互の嵌合途中では、アーム本体１２１ａの撓み変位によって、係合突起１２１ｂがアーム係止部１１１の前端側に位置した隆起部１１２の上に乗り上げる。そして、コネクタハウジング相互の嵌合が完了すると、係合突起１２１ｂが隆起部１１２を乗り越え、アーム本体１２１ａの弾性復元力で、係合突起１２１ｂが段差状のアーム係止部１１１に係合した状態になる。
【０００７】
ロックアーム１２１がアーム係止部１１１に係合すると、コネクタハウジング相互の離脱方向の移動が規制されることで、コネクタハウジング相互の嵌合状態がロックされる。
【先行技術文献】
【特許文献】
【０００８】
【特許文献１】特開２０１２−５９３６８号公報
【発明の概要】
【発明が解決しようとする課題】
【０００９】
ところが、特許文献１のコネクタ１００の場合、コネクタハウジング相互の嵌合状態をロックするロック部（ロックアーム１２１とアーム係止部１１１との係合部）が、第１コネクタハウジング１１０の内部に隠れてしまうため、ロック状態を簡単に判別することができないという問題があった。
【００１０】
そこで、本発明の目的は、上記課題を解消することに係り、コネクタハウジング相互の嵌合状態をロックするロック部が目視できない位置に存在するコネクタにおいて、コネクタハウジング相互のロック状態を、外観目視によって、簡単に且つ確実に判別することができるコネクタを提供することにある。
【課題を解決するための手段】
【００１１】
本発明の前述した目的は、下記の構成により達成される。
（１）  内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記ロックアームは、前記第２コネクタハウジングの上面における幅方向中央部に設けられ、
前記リブは、前記ロックアームに一体形成されている特徴とするコネクタ。
【００１２】
（２）  内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記リブは、前記ロックアームの前端面に、コネクタハウジング相互の嵌合方向に沿って突出する形状に装備されたことを特徴とするコネクタ。
【００１３】
（３）  内部側にアーム係止部を有した第１コネクタハウジングと、
前記第１コネクタハウジングとの嵌合が完了したときに前記アーム係止部と係合してコネクタハウジング相互の嵌合状態をロックするロックアームを備えた第２コネクタハウジングと、
を備えるコネクタであって、
前記第１コネクタハウジングは、前記第２コネクタハウジングを収容する略筒状のフード部と、前記フード部をコネクタハウジング相互の嵌合方向に沿って貫通したロック確認孔と、を備え、
前記第２コネクタハウジングは、コネクタハウジング相互が嵌合途中の状態では前記フード部内に位置し、コネクタハウジング相互の嵌合が完了した状態では前記ロック確認孔を挿通して前記第１コネクタハウジングの外面に露出するリブを備え、
前記リブには、前記第２コネクタハウジングの幅方向に突出して、前記幅方向と直交する前記ロック確認孔の内壁面に摺動可能に当接するガタ止め突起を備えたことを特徴とするコネクタ。
【００１４】
（４）  前記ガタ止め突起は、コネクタハウジング相互の嵌合方向に沿って延設されていることを特徴とする上記（３）に記載のコネクタ。
【００１５】
上記（１）の構成によれば、コネクタハウジング相互が嵌合途中の場合には、第２コネクタハウジングに装備されているリブは、第１コネクタハウジングのフード部内に位置していて、外部からは目視できない。しかし、コネクタハウジング相互の嵌合が適正に完了すると、第２コネクタハウジングに装備されているリブが、第１コネクタハウジングのフード部から外部に突出して、外部に露出する。そのため、外観目視によってリブが露呈しているか否かを確認することで、ロック状態を簡単に、且つ確実に判別することができる。
【００１６】
即ち、ロック状態を外観目視によって簡単且つ確実に判別することができ、コネクタハウジング相互の嵌合不良の見落としを防止することができる。
【００１７】
上記（２）の構成によれば、コネクタハウジング相互のロック状態の判別に用いられるリブがロックアーム５３と一体のため、リブを限られたスペースに効率良く配置することができ、リブを装備する第２コネクタハウジングの構造の複雑化を抑止することができる。
【００１８】
上記（３）の構成によれば、コネクタハウジング相互の嵌合が完了するとき、ロック確認孔を挿通するリブに突設されているガタ止め突起が、ロック確認孔の内壁面に当接して、コネクタハウジング相互間における幅方向の相対移動を規制する。即ち、リブに突設されたガタ止め突起によって、コネクタハウジング相互の幅方向へのガタ付きを抑制することができ、コネクタハウジング相互のガタ付きに起因した端子金具の摩耗等を抑止することができる。
【００１９】
上記（４）の構成によれば、ガタ止め突起ガタ止め突起がコネクタハウジング相互の嵌合方向に沿って延在していて、コネクタハウジングの幅方向に対するリブの撓み変位を規制する補強材として機能する。即ち、ガタ止め突起が、リブの強度を向上させる。従って、コネクタハウジング相互の嵌合・離脱を繰り返しても、繰り返し荷重による疲労でリブが破損することを抑止することができ、リブの性能を長期に亘って安定維持することができる。
【発明の効果】
【００２０】
本発明によるコネクタによれば、コネクタハウジング相互の嵌合状態をロックするロック部が目視できない位置に存在するコネクタにおいて、コネクタハウジング相互のロック状態を、外観目視によって、簡単に且つ確実に判別することができる。
【００２１】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明に係るコネクタの一実施形態の分解斜視図である。
【図２】図２は図１のＡ矢視図である。
【図３】図３は図２のＢ−Ｂ断面図である。
【図４】図４は図３のＣ−Ｃ断面図である。
【図５】図５は図１に示した第２コネクタハウジングの左側面側の斜め前方から見た斜視図である。
【図６】図６は図１に示した第２コネクタハウジングの右側面側の斜め前方から見た斜視図である。
【図７】図７は図１に示した第１コネクタハウジングの右側面側の斜め前方から見た斜視図である。
【図８】図８は図１に示した第１コネクタハウジングの左側面側の斜め後方から視た斜視図である。
【図９】図９は一実施形態の第２コネクタハウジングからリブを削除した比較例の第２コネクタハウジングの左側面側の斜め前方から見た斜視図である。
【図１０】図１０は図９に示した比較例の第２コネクタハウジングの右側面側の斜め前方から見た斜視図である。
【図１１】図１１は一実施形態の第１コネクタハウジングからロック確認孔を削除した比較例の第１コネクタハウジングの左側面側の斜め前方から見た斜視図である。
【図１２】図１２は図１１に示した比較例の第１コネクタハウジングの左側面側の斜め後方から見た斜視図である。
【図１３】図１３は従来のコネクタの縦断面図である。
【発明を実施するための形態】
【００２３】
以下、本発明に係るコネクタの好適な実施形態について、図面を参照して詳細に説明する。
【００２４】
図１〜図８は本発明に係るコネクタの一実施形態を示したもので、図１は本発明に係るコネクタの一実施形態の分解斜視図、図２は図１のＡ矢視図、図３は図２のＢ−Ｂ断面図、図４は図３のＣ−Ｃ断面図、図５は図１に示した第２コネクタハウジングの左側面側の斜め前方から見た斜視図、図６は図１に示した第２コネクタハウジングの右側面側の斜め前方から見た斜視図、図７は図１に示した第１コネクタハウジングの右側面側の斜め前方から見た斜視図、図８は図１に示した第１コネクタハウジングの左側面側の斜め後方から視た斜視図である。
【００２５】
この一実施形態のコネクタ２は、図１に示すように、雄端子金具３を収容保持する第１コネクタハウジング４と、この第１コネクタハウジング４の嵌合相手となる第２コネクタハウジング５とを備えている。
【００２６】
第１コネクタハウジング４は、図３に示すように、不図示の電線が接続された雄端子金具３を収容保持するハウジング本体４１と、このハウジング本体４１の前端から前方に延出した略筒状のフード部４２と、このフード部４２の内部側に設けられたアーム係止部４３（図３参照）と、このフード部４２に装備されたロック確認孔４４（図８参照）と、を備えている。
【００２７】
ハウジング本体４１には、図７及び図８に示すように、雄端子金具３を収容する端子収容孔４１１が、上下２段に装備されている。各端子収容孔４１１は、コネクタハウジング相互の嵌合方向（図３の矢印Ｘ２方向）に沿って、ハウジング本体４１を貫通している。
ハウジング本体４１内には、図３に示すように、端子収容孔４１１に沿って、端子係止ランス４１４が備えられている。端子係止ランス４１４は、端子収容孔４１１内の規定位置まで挿入された雄端子金具３に係合して、雄端子金具３を抜け止めする。
【００２８】
フード部４２は、第２コネクタハウジング５を収容する略筒状の構造である。
【００２９】
アーム係止部４３は、コネクタハウジング相互の嵌合が完了したとき、後述する第２コネクタハウジング５のロックアーム５３が係合する窪みである。本実施形態の場合、アーム係止部４３は、フード部４２の上部側壁部４２１の内面に、第１コネクタハウジング４の高さ方向（図３の矢印Ｚ２方向）に凹んで形成されている。また、アーム係止部４３は、上部側壁部４２１を貫通しておらず、外部から目視することができない。
【００３０】
ロック確認孔４４は、図７及び図８に示すように、上部側壁部４２１の内面に、コネクタハウジング相互の嵌合方向に沿って延在する溝状に形成されている。本実施形態では、ロック確認孔４４は、第１コネクタハウジング４の幅方向(図８の矢印Ｙ３方向）に間隔を空けた２箇所に設けられている。また、これらの一対のロック確認孔４４は、コネクタハウジング相互の嵌合方向に沿って貫通している。
【００３１】
第２コネクタハウジング５は、雄端子金具３の嵌合相手となる不図示の電線が接続された雌端子金具６を収容してフード部４２に嵌合するハウジング本体５２と、ハウジング本体５２の一外側面５２１に突設されたロックアーム５３と、コネクタハウジング相互の嵌合時に第１コネクタハウジング４のロック確認孔４４を挿通するリブ５４と、リブ５４と、このリブ５４に装備されたガタ止め突起５５と、を備えている。
【００３２】
ハウジング本体５２には、図５及び図６に示すように、雌端子金具６を保持する端子収容孔５２２が、上下２段に装備されている。また、ハウジング本体５２内には、図３に示すように、端子収容孔５２２に沿って、端子係止ランス５２３が装備されている。端子係止ランス５２３は、図３に示したように、雌端子金具６が端子収容孔５２２内の規定位置まで挿入されたときに、雌端子金具６と係合して、雌端子金具６を抜け止めする。
【００３３】
ロックアーム５３は、ハウジング本体５２の前端側から、コネクタハウジング相互の嵌合方向に沿ってハウジング本体５２の後端側に延出したアーム本体５３１と、このアーム本体５３１の上面側に突設された係合突起５３２と、アーム本体５３１の自由端（図３では、左端）に一体形成された操作部５３３と、を備えている。
【００３４】
ロックアーム５３は、コネクタハウジング相互の嵌合が完了したとき、図３に示したように、係合突起５３２がアーム係止部４３と係合して、第２コネクタハウジング５を第１コネクタハウジング４に結合する。
【００３５】
係合突起５３２とアーム係止部４３との係合は、コネクタハウジング相互の離脱方向への移動を規制し、コネクタハウジング相互の嵌合状態をロックする。
【００３６】
操作部５３３は、図３の矢印Ｚ４方向に押下すると、アーム本体５３１がハウジング本体５２の一外側面５２１側に撓み変形し、この撓み変形によって、アーム本体５３１上の係合突起５３２が、アーム係止部４３から離脱する方向に変位する。即ち、操作部５３３は、コネクタハウジング相互のロック状態を解除するためにロックアーム５３を撓み変形させる際に、操作力を付与する部位である。
【００３７】
リブ５４は、本実施形態の場合、ロックアーム５３に一体形成されている。詳しくは、リブ５４は、図５及び図６に示すように、アーム本体５３１の前端（図３では、右端）で、第１コネクタハウジング４のロック確認孔４４の配置と対応する位置に、一対装備されている。また、一対のリブ５４は、アーム本体５３１の前端面からコネクタハウジング相互の嵌合方向前方に突出する形状に設けられている。
【００３８】
一対のリブ５４は、コネクタハウジング相互が嵌合時に、第１コネクタハウジング４のロック確認孔４４を挿通する。また、一対のリブ５４は、コネクタハウジング相互が嵌合の途中の状態では、ロック確認孔４４内に位置する。即ち、コネクタハウジング相互が嵌合の途中の状態では、一対のリブ５４は、フード部４２内に位置して、フード部４２の内側に隠れた状態にある。そして、コネクタハウジング相互の嵌合が完了した状態では、一対のリブ５４は、フード部４２のロック確認孔４４を挿通して、図４に示すように、第１コネクタハウジング４の外面に露出する。
【００３９】
換言すると、一対のリブ５４は、コネクタハウジング相互の嵌合が完了した状態では、図３に示すように、先端部が長さＬ１に亘ってフード部４２の外部に突出し、第１コネクタハウジング４の外部に露呈した状態になるように、寸法が設定されている。
【００４０】
リブ５４に装備されたガタ止め突起５５は、図５及び図６に示すように、リブ５４の外側面５４１から第２コネクタハウジング５の幅方向（図６の矢印Ｙ４方向）の外方に突出した突起である。ガタ止め突起５５の第２コネクタハウジング５の幅方向への突出長は、図４に示したように、ロック確認孔４４の内壁面４４１と寸法Ｌ２だけオーバーラップするように、設定されている。
【００４１】
言い換えると、このガタ止め突起５５は、ロック確認孔４４の内壁面４４１と寸法Ｌ２だけオーバーラップするように第２コネクタハウジング５の幅方向に突出していて、リブ５４がロック確認孔４４内に進入した際には、内壁面４４１又はリブ５４がオーバーラップ分だけ弾性変形して、ガタ止め突起５５が内壁面４４１に押圧接触した当接状態になる。また、ガタ止め突起５５は、リブ５４のロック確認孔４４内への進入に伴い、内壁面４４１に押圧接触した状態で、内壁面４４１上を摺動する。ガタ止め突起５５は、リブ５４がロック確認孔４４に進入した際、幅方向と直交するロック確認孔４４の内壁面４４１（図８参照）に摺動可能に当接することで、コネクタハウジング相互間における幅方向の相対移動を規制する。
【００４２】
また、本実施形態の場合、ガタ止め突起５５は、図５及び図６に示すように、コネクタハウジング相互の嵌合方向（図５及び図６における矢印Ｘ４方向）に沿って延設されている。
【００４３】
以上に説明した一実施形態のコネクタ２の場合、コネクタハウジング相互が嵌合途中の場合には、第２コネクタハウジング５に装備されているリブ５４は、第１コネクタハウジング４のフード部４２内に位置していて、外部からは目視できない。しかし、コネクタハウジング相互の嵌合が適正に完了すると、図３及び図４に示したように、第２コネクタハウジング５に装備されているリブ５４の先端部が、第１コネクタハウジング４のフード部４２から外部に突出して、外部に露出する。そのため、外観目視によってリブ５４が露呈しているか否かを確認することで、ロック状態を簡単に、且つ確実に判別することができる。
【００４４】
即ち、ロック状態を外観目視によって簡単且つ確実に判別することができ、コネクタハウジング相互の嵌合不良の見落としを防止することができる。
【００４５】
また、一実施形態のコネクタ２の場合、コネクタハウジング相互のロック状態の判別に用いられるリブ５４は、図６にも示したように、ロックアーム５３の前端に突設されており、ロックアーム５３と一体である。従って、リブ５４を、限られたスペースに効率良く配置することができ、リブ５４を装備する第２コネクタハウジング５の構造の複雑化を抑止することができる。
【００４６】
また、一実施形態のコネクタ２の場合、コネクタハウジング相互の嵌合が完了するとき、ロック確認孔４４を挿通するリブ５４に突設されているガタ止め突起５５が、ロック確認孔４４の内壁面に当接して、コネクタハウジング相互間における幅方向の相対移動を規制する。即ち、リブ５４に突設されたガタ止め突起５５によって、コネクタハウジング相互の幅方向へのガタ付きを抑制することができ、コネクタハウジング相互のガタ付きに起因した端子金具の摩耗等を抑止することができる。
【００４７】
また、一実施形態のコネクタ２の場合、ガタ止め突起５５がコネクタハウジング相互の嵌合方向に沿って延在していて、コネクタハウジングの幅方向に対するリブ５４の撓み変位を規制する補強材として機能する。即ち、ガタ止め突起５５が、リブ５４の強度を向上させる。従って、コネクタハウジング相互の嵌合・離脱を繰り返しても、繰り返し荷重による疲労でリブ５４が破損することを抑止することができ、リブ５４の性能を長期に亘って安定維持することができる。
【００４８】
図９及び図１０は比較例の第２コネクタハウジング５Ａを示し、図１１及び図１２は比較例の第１コネクタハウジング４Ａを示している。
【００４９】
図９及び図１０に示した比較例の第２コネクタハウジング５Ａは、一実施形態の第２コネクタハウジング５において必須構成であったリブ５４やガタ止め突起５５を省いた構造となっている。比較例の第２コネクタハウジング５Ａの場合、リブ５４やガタ止め突起５５以外の構成は、一実施形態の第２コネクタハウジング５と共通であり、一実施形態と共通な構成については、同符号を付して説明を省略する。
【００５０】
図１１及び図１２に示した比較例の第１コネクタハウジング４Ａは、一実施形態の第１コネクタハウジング４において必須構成であったロック確認孔４４を省いた構造となっている。比較例の第１コネクタハウジング４Ａの場合、ロック確認孔４４以外の構成は、一実施形態の第１コネクタハウジング４と共通であり、一実施形態と共通な構成については、同符号を付して説明を省略する。
【００５１】
図９〜図１２に示した比較例の第１コネクタハウジング４Ａ及び第２コネクタハウジング５Ａの構成では、コネクタハウジング相互の嵌合が完了しても、ロックアーム５３の係合突起５３２が係合している部位はアーム係止部４３の内部に隠れていて、外観上の変化が乏しい。そのため、適正にロック状態が得られているか否かを外観目視から簡単且つ確実に判別することができず、コネクタハウジング相互の嵌合不良を見落とすおそれがあった。
【００５２】
また、比較例の構成では、コネクタハウジング相互の嵌合時に、コネクタハウジングの幅方向への相対移動を規制する特別な手段がないため、コネクタハウジング相互間における幅方向の相対移動によって、ガタ付きが発生するおそれがあり、コネクタハウジング相互のガタ付きに起因した端子金具間の摩耗を抑止することができないという問題も発生する虞があった。
【００５３】
前述した本発明の一実施形態のコネクタ２では、比較例において生じる問題を解消することができる。
【００５４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、コネクタハウジング相互のロック状態を外観目視から判別可能にするリブの装備位置は、ロックアームの前端に限定するものではなく、リブの装備位置をロックアームの前端以外の部位に設定することも可能である。
【００５６】
また、ガタ付き防止のためのガタ止め突起の装備位置も、前述の実施形態に限るものではなく、ガタ止め突起をリブ以外の部位に装備することも考えられる。
【００５７】
ここで、上述した本発明に係るコネクタの実施形態の特徴をそれぞれ以下［１］〜［４］に簡潔に纏めて列記する。
【００５８】
［１］  内部側にアーム係止部（４３）を有した第１コネクタハウジング（４）と、
前記第１コネクタハウジング（４）との嵌合が完了したときに前記アーム係止部（４３）と係合してコネクタハウジング相互の嵌合状態をロックするロックアーム（５３）を備えた第２コネクタハウジング（５）と、
を備えるコネクタ（２）であって、
前記第１コネクタハウジング（４）は、前記第２コネクタハウジング（５）を収容する略筒状のフード部（４２）と、前記フード部（４２）をコネクタハウジング相互の嵌合方向に沿って貫通したロック確認孔（４４）と、を備え、
前記第２コネクタハウジング（５）は、コネクタハウジング相互が嵌合途中の状態では前記フード部（４２）内に位置し、コネクタハウジング相互の嵌合が完了した状態では前記ロック確認孔（４４）を挿通して前記第１コネクタハウジング（４）の外面に露出するリブ（５４）を備えたことを特徴とするコネクタ（２）。
【００５９】
［２］  前記リブ（５４）は、前記ロックアーム（５３）の前端面に、コネクタハウジング相互の嵌合方向に沿って突出する形状に装備されたことを特徴とする上記［１］に記載のコネクタ（２）。
【００６０】
［３］  前記リブ（５４）には、前記第２コネクタハウジング（５）の幅方向に突出して、前記幅方向と直交する前記ロック確認孔（４４）の内壁面に摺動可能に当接するガタ止め突起（５５）を備えたことを特徴とする上記［１］又は［２］に記載のコネクタ（２）。
【００６１】
［４］  前記ガタ止め突起（５５）は、コネクタハウジング相互の嵌合方向に沿って延設されていることを特徴とする上記［３］に記載のコネクタ（２）。
【符号の説明】
【００６２】
２  コネクタ
４  第１コネクタハウジング
５  第２コネクタハウジング
４２  フード部
４３  アーム係止部
４４  ロック確認孔
５３  ロックアーム
５４  リブ
５５  ガタ止め突起
【図１】
0006513409.tif 000002
【図２】
0006513409.tif 000003
【図３】
0006513409.tif 000004
【図４】
0006513409.tif 000005
【図５】
0006513409.tif 000006
【図６】
0006513409.tif 000007
【図７】
0006513409.tif 000008
【図８】
0006513409.tif 000009
【図９】
0006513409.tif 000010
【図１０】
0006513409.tif 000011
【図１１】
0006513409.tif 000012
【図１２】
0006513409.tif 000013
【図１３】
0006513409.tif 000014